(57)【要約】  光学エレメント（１）を外側マウント、又は、サポートに対して固定、又は、調整するための組立体であって、光学エレメント（１）は、光軸を有する光学構造、特に対物レンズ構造、又は、対物レンズ・バレルに対して、又は、隣接するマウントに対して、調整構造によって整列可能であり、調整構造は少なくとも一つの弾性手段（９）、特にばね、弾性ロッド、又は、スティック、弾性テープ、又は、弾性ギアホイール、又は、弾性ギアボックス、を含み、それによって、力、又は、トルクが光学エレメント（１）に加えられる。
2008541160.tif 000002
【特許請求の範囲】
【請求項１】
光学エレメントをマウントに対して位置決めするための組立体であって、前記光学エレメントが位置決め構造によって位置決め可能であるものにおいて、
前記位置決め構造は少なくとも一つの弾性又は弾力手段を含み、それが
前記光学エレメント自体に、又は、
前記光学エレメントのフランジ、又は、
前記光学エレメントを囲むホルダー、又は、サポートに、
力又はトルクを及ぼすことによって、
前記光学エレメントを、二つの自由度で、又は、独立に二つの方向で、シフト又は移動させる、
ことを特徴とする組立体。
【請求項２】
前記ホルダー又は前記サポートが、前記弾性手段によって力、又は、トルクが加えられる少なくとも一つの平衡（ｉｓｏｓｔａｔｉｃ）マウントを含み、
前記平衡マウントは少なくとも二つの自由度で調整可能である、ことを特徴とする請求項１に記載の組立体。
【請求項３】
前記少なくとも一つの平衡マウントがバイポッドである、又は、バイポッド構造である、ことを特徴とする請求項２に記載の組立体。
【請求項４】
前記弾性又は弾力手段が、
縮小（ｒｅｄｕｃｔｉｏｎ）手段、
特に、
ばね、又は、
弾性てこ又は弾性ロッド、又は、
弾性テープ又は弾性ベルト、又は、
弾性ギアホイール又は弾性ホイール、を含む、
ことを特徴とする請求項１から３のいずれか１項に記載の組立体。
【請求項５】
前記弾性手段は、
二つの別々の手段により、
特に、
二つの圧電又は電歪アクチュエータにより、又は、
二つのモータにより、又は、
二つの空気圧又は油圧手段、により、
二つの方向、又は、自由度の各々で移動可能又はシフト可能である、
ことを特徴とする請求項１から４のいずれか１項に記載の組立体。
【請求項６】
三つの弾性手段が、
各々が二つの方向、又は、複数の自由度で、シフト可能、又は、移動可能であるように設けられる、
ことを特徴とする請求項１から５のいずれか１項に記載の組立体。
【請求項７】
前記三つの弾性手段は、互いに実質的に１２０度の角度離れて配置され、
前記アクチュエータはそれらの間に６０度から１２０度の角度で、好ましくはそれらの間に９０°の角度で配置されている、
ことを特徴とする請求項６に記載の組立体。
【請求項８】
前記弾性手段、又は、前記弾性手段の各々は、少なくとも一つのねじ、特にマイクロメータねじによって移動可能、又は、調整可能である、ことを特徴とする請求項１から７のいずれか１項に記載の組立体。
【請求項９】
前記少なくとも一つのねじが、外側リングに、又は、介在又は中間リング（２７）に担持される、ことを特徴とする請求項８に記載の組立体。
【請求項１０】
前記介在リング（２７）が、前記介在リングが静的に定められるような仕方で前記外側リングに結合されている、ことを特徴とする請求項９に記載の組立体。
【請求項１１】
前記介在リング（２７）がばねエレメントによって前記外側リングに結合されている、ことを特徴とする請求項１０に記載の組立体。
【請求項１２】
前記ばねエレメントが、前記介在リング（２７）と前記外側リングの間で互いから少なくとも実質的に等しい距離にわたって分布している、ことを特徴とする請求項１１に記載の組立体。
【請求項１３】
前記ばねエレメントが堅い（ｓｔｉｆｆ）、ことを特徴とする請求項１１、又は、１２に記載の組立体。
【請求項１４】
光学エレメント（１，２３，２４）を外側マウント、又は、サポート（４，１９，２６）に対して固定、又は、調整するための組立体であって、前記光学エレメント（１，２３，２４）が、光軸を有する光学装置の構造に対して、特に対物レンズ構造、又は、対物レンズ・バレルに対して、又は、隣接するマウントに対して調整構造によって整列可能であるものにおいて、
前記調整構造は少なくとも一つの弾性手段（９，２０）、
特に、
ばね、又は、
弾性ロッド、又は、弾性スティック、又は、
弾性テープ、又は、
弾性ギアホイール、又は、弾性ギアボックス、を含み、
それによって力、又は、トルクを前記光学エレメント（１，２３，２４）に加えることができる、
ことを特徴とする組立体。
【請求項１５】
前記光学エレメント（１，２３，２４）が内側マウント（２，２２，２５）に配置され、前記光学エレメント（１，２３，２４９の調整のための力、又は、トルクが前記内側マウントに加えられる、ことを特徴とする請求項１４に記載の組立体。
【請求項１６】
前記内側マウント（２，２２，２９）が少なくとも一つの中間パーツ（３，１０）によって前記外側マウントに結合されている、ことを特徴とする請求項１４、又は、１５に記載の組立体。
【請求項１７】
前記少なくとも一つの中間パーツが、
前記内側マウント（２，２２，２９）に結合された第一のベアリング要素（５）と、
中間エレメント（７，１１）と、
少なくとも一つの調整手段（９，２０）であって、弾性作用手段によって、前記光学エレメント（１，２４）の調整、又は、位置決めのために、力、又は、トルクを加えることができる調整手段（９，２０）、を含む、
ことを特徴とする請求項１６に記載の組立体。
【請求項１８】
前記弾性作用手段が、
てこにおける力のてこアームとなる弾性ロッド（９，２０）、又は、
少なくとも一つのロールによってトルクを伝達する弾性テープ、又は、
トルクの伝達のための減速（ｒｅｄｕｃｔｉｏｎ）ギアにおける弾性ギアホイール、又は、
その他の、弾性手段、特にばね、特に渦巻きばね、又は、前記中間エレメント（７，１１）へ力を伝達するための弾性テープ、
そのものであり、又は、これらを備えて成る、
ことを特徴とする請求項１７に記載の組立体。
【請求項１９】
前記中間エレメント（７，１１）が、硬く、又は、堅く、少なくとも前記作用手段より弾性が小さい、ことを特徴とする請求項１８に記載の組立体。
【請求項２０】
前記組立体が、前記外側マウント（４，１９，２６）に結合されている、少なくとも一つの、第二のベアリング要素（６；１４，１５，１６，１７，１８）を含む、ことを特徴とする請求項１４から２０のいずれか１項に記載の組立体。
【請求項２１】
各調整手段が、先端の一つで前記中間エレメントに取り付けられた少なくとも一つの弾力、又は、弾性てこ（９，２０）を含む、ことを特徴とする請求項１４から２０のいずれか１項に記載の組立体。
【請求項２２】
前記少なくとも一つのてこが、前記光学エレメント（１，２３，２４）に対して、前記中間エレメント（７，１１）において任意の方向に、好ましくは半径方向、又は、接線方向に配置されていることを特徴とする請求項２１に記載の組立体。
【請求項２３】
前記少なくとも一つのてこ（９，２０）が、調整可能、特に最良調整可能（ｔｕｎａｂｌｅ）、特に回転可能、及び／、又は、軸方向及び／又は半径方向に調整可能であることを特徴とする請求項２１、又は、２２に記載の組立体。
【請求項２４】
前記少なくとも一つのてこ（９，２０）が、その第二の先端において、固定エレメントと、特にそれぞれ予め定められた位置を規定する一つ、又は、複数の孔を含むエレメントと、及び／又はアクチュエータ、又は、アジャスター（ａｄｊｕｓｔｏｒ）と結合していることを特徴とする請求項２１から２３のいずれか１項に記載の組立体。
【請求項２５】
前記アクチュエータが電磁的、電歪的、磁歪的、空気圧、油圧、又は、機械的な作動、又は、駆動手段を含むことを特徴とする請求項２４に記載の組立体。
【請求項２６】
前記第一のベアリング要素が少なくとも部分的に前記内側マウント、又は、リングの溝、又は、凹所（ｒｅｃｅｓｓ）に配置されていることを特徴とする請求項１４から２５のいずれか１項に記載の組立体。
【請求項２７】
前記第二のベアリング要素（１４，１５，１６，１７，１８）が少なくとも部分的に外側マウント、又は、リング（１９）の溝、又は、凹所に配置されていることを特徴とする請求項１４から２６のいずれか１項に記載の組立体。
【請求項２８】
前記第二のベアリング要素（１４，１５，１６，１７，１８）がカルダン（ｃａｒｄａｎｉｃ）ジョイント、又は、ヒンジとして実施されていることを特徴とする請求項１４から２７のいずれか１項に記載の組立体。
【請求項２９】
前記第二のベアリング要素が各々二つの単一、又は、二対の金属プレート（１４，１５，１７，１８）を含み、それらが互いに対して９０度の角度で、半径方向に対して回転していることを特徴とする請求項２８に記載の組立体。
【請求項３０】
前記二つの金属プレート（１４，１５，１７，１８）が互いに対して鋭角、又は、鈍角で中間エレメントの方向へ伸びている、、又は、接線方向、又は、半径方向に伸びていることを特徴とする請求項２９に記載の組立体。
【請求項３１】
前記第一の及び／、又は、前記第二のベアリング要素（１４，１５，１７，１８）が固態ジョイント、又は、ヒンジ、特に板ばねとして実施されていることを特徴とする請求項２９、又は、３０に記載の組立体。
【請求項３２】
前記ベアリング要素、又は、ヒンジ要素、特に板ばね、が半径方向トルクを切り離すための十字（ｃｒｏｓｓ）の形の中間パーツを含むことを特徴とする請求項１４から３１に記載の組立体。
【請求項３３】
前記中間パーツは少なくとも一つの基本エレメントから物質を除去しキャットウオーク、又は、小さなブリッジ部分を残してヒンジ及びジョイントを形成することによって形成されることを特徴とする請求項１４から３２のいずれか１項に記載の組立体。
【請求項３４】
前記ベアリング要素、前記中間エレメント、及び中間パーツが、侵食することによって生成されることを特徴とする請求項１６から３３のいずれか１項に記載の組立体。
【請求項３５】
前記中間エレメントが少なくとも部分的にリング・セグメント（３０）によって、又は、一つの閉じたリングによって結合されていることを特徴とする請求項１６から３４のいずれか１項に記載の組立体。
【請求項３６】
前記中間リング（２７）、又は、前記リング・セグメント（３０）が少なくとも一つのベアリング要素によって前記内側リングで取り付けられ、それらが少なくとも一つの第二のベアリング要素によって外側リング、又は、マウントに取り付けられることを特徴とする請求項３５に記載の組立体。
【請求項３７】
光学エレメント（２４）を外側マウント（２６）に対して固定、又は、調整、又は、位置決めするための組立体であって、
前記光学エレメント（２４）は、光軸を有する光学組立体の構造、特に対物レンズのバレル、に対して整列可能、又は、調節可能であり、
隣接するマウント、又は、サポートに対して整列可能であり、
前記位置決め、又は、調整手段が、前記光学エレメント（２４）と前記外側マウント（２６）の間に配置された中間リング（２７）によって実施される、
ことを特徴とする組立体。
【請求項３８】
前記光学エレメント（２４）が内側マウント、又は、サポート（２５）に受け入れられ、前記中間リング（２７）が前記内側リング、又は、マウント（２５）と前記外側リング、又は、マウント（２６）の間に担持される、
ことを特徴とする請求項３７に記載の組立体。
【請求項３９】
調整手段、又は、アクチュエータが前記中間リング（２７）に配置される、ことを特徴とする請求項３７、又は、３８に記載の組立体。
【請求項４０】
ベアリング要素、リング・セグメントが前記組立体に含まれ、
及び／又は、
前記中間リング（２７）は侵食することによって生成される、ことを特徴とする請求項２７から３９のいずれか１項に記載の組立体。
【請求項４１】
前記位置決め、又は、調整手段が、前記中間リング、又は、前記リング・セグメントに張力の下で設置された少なくとも一つの弾性エレメントを含み、
それが、平衡している二つの力、又は、トルクを加える、
ことを特徴とする請求項２７から４０のいずれか１項に記載の組立体。
【請求項４２】
前記位置決め、又は、調整手段が、少なくとも一つの弾性エレメントを含み、
それが前記弾性エレメントにねじれを加えることによって、前記中間リングに力、又は、トルクを加える、
ことを特徴とする請求項４１に記載の組立体。
【請求項４３】
前記トルク、又は、力は、少なくとも一つの縮小エレメントによって、特にブロックの形の突起（ｐｒｏｊｅｃｔｉｏｎ）によって、前記中間リングに加えられる、
ことを特徴とする請求項４２に記載の組立体。
【請求項４４】
光学エレメント（２４）を外側サポート、又は、マウント（２６）に対して固定、又は、調整するための組立体であって、
前記光学エレメント（２４）は、光軸を有する光学組立体の構造、特に対物レンズの構造に対して、又は、隣接するマウントに対して、少なくとも一つの調整構造によって整列可能であり、
前記少なくとも一つの調整構造が、弾性エレメントを含み、それに力、又は、トルクが作用する、
ことを特徴とする組立体。
【請求項４５】
前記光学エレメントが内側マウント、又は、内側リング（２５）に配置される、ことを特徴とする請求項４４に記載の組立体。
【請求項４６】
マイクロリソグラフィー用の投影露光装置であって、投影対物レンズが、少なくとも一つの請求項１４から４５のいずれか１項に記載の光学エレメントを調整、又は、位置決めするための構造、又は、手段を含む、ことを特徴とする投影露光装置。
【請求項４７】
光学エレメント、又は、前記光学エレメントを囲む、又は、支持するサポートを移動、又は、シフトさせる構造（ａｒｒａｎｇｅｍｅｎｔ）を含む調整組立体であって、
前記構造はマイクロリソグラフィー露光装置の光学エレメントを支持する作業アームとてこアームを含む機械的伝達、又は、縮小機構を、少なくとも一つ、含み、
アームの少なくとも一つは弾性物質で作られる、及び／又は、力を伝達するための弾性手段に結合されている、
ことを特徴とする組立体。
【請求項４８】
位置決め構造を含むマイクロリソグラフィー露光装置であって、
前記位置決め構造が機械的伝達機構を含み、前記伝達機構が前記露光装置の光学エレメントを支持する少なくとも一つの作業アームと少なくとも一つのてこアームを含み、
前記荷重アームと前記てこアームの少なくとも一つが弾性物質で作られている、及び／、又は、力を伝達するための弾性手段と結合している、
ことを特徴とするマイクロリソグラフィー露光装置。
【発明の詳細な説明】
【技術分野】
【０００１】
本発明は、光学エレメントを外側サポートに対して固定、又は、調整するための組立体であって、光軸を有する光学組立体の構造、特に対物レンズの構造に対して、、又は、隣接するサポートに対して、調整装置を用いて光学エレメントを整列させることができる組立体に関する。
【背景技術】
【０００２】
光学エレメントはホルダー、又は、サポートの中できわめて安定な位置に定められなければならず、それらのコンポーネントを他の構造エレメントと組み合わせた後で位置の変化、又は、変形を生じてはならない。これは特にマイクロリソグラフィーで用いられるような高性能の光学系で必要である。それでもやはり、位置の変化を必要とするマウンティングや工程ステップは避けられない。通常、これらの変化は、調整できる中間ステップで補正される；しかし、これらのステップは、マウンティング、デマウンティング、修正そして再マウンティングというステップの反復シーケンスを意味し、しばしば自由度によって制約される限られた補正しか可能でない。エレメントのバレルとサポートを含む堅牢でシンプルな調整機構が望まれる。６つの自由度全部に関する最後の補正ステップはデマウンティングのステップなしに実施されなければならない；同時に、少なくとも単一の光学エレメントを含む光学組立体の全ての必要条件が、こわさ（ｓｔｉｆｆｎｅｓｓ）や変形の切り離し（ｄｅｃｏｕｐｌｉｎｇ）も含めて満たされなければならない。
【０００３】
特許文献１から光学エレメントとマウントの組立体が知られる。ここでは、光学エレメントは多数のラグ（ｌｕｇｓ）によって剛体の中間リングに結合され、中間リング自体は調整部材、又は、パッシブ・デカプラー（ｐａｓｓｉｖｅ  ｄｅｃｏｕｐｌｅｒ）によってマウントに結合され、ハウジング及び／、又は、別のマウントに結合される。アクチュエータが設けられる。
【０００４】
特許文献２から、レンズに対して接線方向に位置するホルダーとアクチュエータを備える光学エレメント保持装置が知られる。光学組立体において、特に半導体リソグラフィーのための投影対物レンズにおいて光学エレメントを位置決めするための組立体が特許文献３に記載されており、これは光学エレメントの周に位置する３つのベアリングによって外側サポートに結合されるものである。板ばねの形の結合部材が設けられ、それがサポートに配置されたマニピュレータによって生成される動きを光学エレメントに伝達する。
【０００５】
特許文献４から、サポート機構と、そのサポート機構を含む露光装置が知られる。光学エレメントを支持するサポート機構は、光学エレメントを支持する第一のサポート部材と、弾性部材によって第一の支持部材に結合された第二の支持部材と、弾性部材に力を加えるフォーシング部材を含む。フォーシング部材が弾性部材に力を加えると、光学エレメントの位置及び／、又は、方位を調整できる、、又は、第一及び第二の支持部材の間の相対位置が変化する。弾性部材は光学エレメントの半径方向で、、又は、光学エレメントの半径方向と光学エレメントの光軸への、又は、それと平行な方向の両方に直角な回転軸のまわりで変形する。
【０００６】
この文書の図３に示された方法によって、圧縮部材のブルバー（ｂｕｌｂａｒ）部分２３２、又は、マイクロメータねじ２３０によって二つの薄板ばね２２２と２２４を結合する小さなブリッジを圧して、支持部材２１０によって保持されるレンズＬ  を弾性的に変形させることができる。二つの自由度でのレンズＬの調整が同時に実現される。この二つの自由度を結合することによって強制力が実現され、それを部分的にレンズ・バレルと支持部材２１０の両方で受けなければならない。
【０００７】
特許文献５から、動的なレンズ・マウンティング・システムにおける調整できるソフト・マウントが知られる。リソグラフィー露光装置で使用される変形可能なレンズなどの光学エレメントをマウントするマウンティング・システムは、複数の調整可能なソフト・マウントを用いてそれを支持し、その周縁部分にベクトル力とモーメント力を加えてその形を補正する。これらの調整可能なソフト・マウントの各々は、コイルばね、片持ばね、、又は、ねじりコイルばね、などの弾性部材と、弾性部材によって光学エレメントの周縁部分に加えられる力を変える調整ねじ、又は、ボルトなどの力調整部材を有する。ソフト・マウントは光学エレメントを所望の部分で支持する位置規定マウントほど硬くない。
【０００８】
この文書から、一方向、すなわち接線方向で束縛される、力（ベクトル力）の二つの方向とトルク（モーメンタム力）の三つの方向に関連した五つの自由度が可能な接線方向に硬いマウンティング構造が原理的に提供されることが知られる（例は図６に示される）。この文書による別の実施形態（図７）では、一端が光学エレメント、又は、そのフランジの周縁の点に固定されてそれに上向きの力を加えるようになっている低こわさのばねによるソフト・マウントが実現される。
【０００９】
この文書の図１１によると、硬いマウンティング構造が接線方向と軸方向で束縛される。静的アジャスター、ソフト・スプリング、及びボイスコイル・モータを備えたアクチュエータが固定構造に設けられている。板ばねとアジャスターなどの軸から外れた（ｏｆｆ−ａｘｉｓ）機構によって静的モーメント力を構造に加えることができ、この機構に動的な調整を加えることができる。
【特許文献１】ＵＳ６２２９６５７Ｂ１
【特許文献２】ＵＳ  ２００２／０１６３７４１
【特許文献３】ＥＰ  １  ２４５  ９８２  Ａ２
【特許文献４】ＵＳ  ２００５／０００２０１１  Ａ１
【特許文献５】ＵＳ  ２００３／０２３４９１８  Ａ１
【発明の開示】
【発明が解決しようとする課題】
【００１０】
本発明の目的は、光学エレメントの位置決めをシンプルな仕方で達成するように光学組立体を改善することである。
【課題を解決するための手段】
【００１１】
本発明によれば、この目的は、位置決め装置が、光学エレメントのフランジ、又は、光学エレメントを囲むホルダー、又は、サポートに力、又は、トルクを及ぼすことによって光学エレメントを二つの自由度、又は、二つの方向で独立にシフト、又は、移動させる少なくとも一つの弾性、又は、弾力手段を含むことを特徴とする組立体によって達成される。
【００１２】
本発明では、“位置決め”とは、開ループ制御、又は、閉ループ制御などのコントロールされた仕方で光学エレメントを調整することであり、システムの単一校正（ｓｉｎｇｌｅ  ｃａｌｉｂｒａｔｉｏｎ）のための単一調整を含む。
【００１３】
本発明によれば、光学エレメントのフランジ、又は、光学エレメントを保持するサポートに力及び／又は、トルクを及ぼす部材は、全く弾性的であっても、部分的に弾性的で部分的に塑性的である弾力（ｒｅｓｉｌｉｅｎｔ）物質であってもよい。本発明によれば、弾力部材の使用は、光学エレメントを唯一の（ｕｎｉｑｕｅ）位置決め作業によって位置決めする必要がある場合に適当である。
【００１４】
本発明によれば、弾性体で作られたてこの作業（ｗｏｒｋ）アーム、例えば薄板鋼のスティック、に加えられる力によって生ずる仕事は、部分的にしか荷重（ｌｏａｄ）アームの方向に及ぼされる仕事に変換されないが、他方で作業アームの変形に必要であり、荷重アームも同様に弾性物質から成る場合、荷重アームを変形させるためにも必要である。したがって、荷重アームの位置を変えようとする場合、力がする仕事のかなりの部分が変形に用いられなければならない。したがって、本発明によれば、作業アーム、又は、荷重アームの少なくとも一方が少なくとも部分的に弾性物質から成る。
【００１５】
光学エレメント、特にレンズ、ミラー、レチクル、又は、開口など、を調整したり、一回で位置決めしたりする場合、この効果を用いて光学エレメントの調整、又は、位置決めにおける外部の影響を大きく減らすことができる。例えば、現在技術における硬い作業アームで５ｍｍのてこ距離が荷重アームの動きで５μｍになるとすると、これは１：１０００という縮小比を意味し、したがって、作業アームの長さが荷重アームの長さの１０００倍であることを意味する：このような縮小比は、本発明によればずっと小さな作業アームによって実現される。それは、仕事の一部が常に作業アーム及び／又は、荷重アームを変形することに費やされるからである。
【００１６】
この原理を逆に応用すると、作業アームに加えられる力が同じであっても、作業アーム及び／又は、荷重アームの弾性によって、荷重アームにはそれだけ弱い、したがって、精密な動きが生まれる。荷重アームの動きを精密に推定するためには、弾性の値−少なくとも広い範囲にわたって−定数の何倍かである（ｍａｎｙ  ｔｉｍｅｓ  ａ  ｃｏｎｓｔａｎｔ）か、又は、距離の関数として知られた特性線を有する弾性値を正確に知ることが必要な前提条件になる。
【００１７】
調整手段としてのてこの使用に関して上で説明した本発明の教示は、光学エレメントのフランジ、又は、光学エレメントを支持する内側サポート、又は、内側リングに直接力、又は、トルクを伝達する全ての手段にあてはまる。少なくとも部分的に弾性物質を備えた歯車を含むギアーボックス、弾性テープを含むロール、らせん、又は、スパイラル・スプリングの形のばね、、又は、変形エネルギーを吸収するのに適当な他の任意の手段（にもあてはまる）。
【００１８】
本発明の教示によれば、二つの力、、又は、二つのトルク、、又は、一つの力と一つのトルクの組み合わせが単一のエレメント、又は、ヒンジのポイントに作用する。
【００１９】
本発明の有利な実施形態は、従属クレーム、説明、及び図面によって示される。
【００２０】
本発明によれば、光学エレメントをマウントに対して位置決めするための組立体であって、光学エレメントを位置決め装置によって位置決めできる組立体が提供される。この組立体は、位置決め装置が少なくとも一つの弾性、又は、弾力手段を有し、それが、光学エレメント自身に、光学エレメントのフランジに、又は、光学エレメントを囲むホルダー、又は、サポートに、力、又は、トルクを及ぼすことによって光学エレメントを二つの自由度で、又は、独立に二つの方向でシフト、又は、移動させることを特徴とする。
【００２１】
本発明では、“シフトする”とは直線運動を意味し、“移動させる”とは直線、又は、回転運動を含むものとする。
【００２２】
さらに、この組立体は、ホルダー、又は、サポートが少なくとも一つの平衡（ｉｓｏｓｔａｔｉｃ）マウントを含み、それに対して弾性手段によって力、又は、トルクが加えられ、この平衡マウントが少なくとも二つの自由度で調整可能であることを特徴とする。
【００２３】
好ましくは、少なくとも一つのマウントはバイポッド（ｂｉｐｏｄ）、又は、バイポッド構造である。
【００２４】
好ましくは、弾性、又は、弾力手段は、縮小（ｒｅｄｕｃｔｉｏｎ）手段、特にスプリング、弾性てこ、又は、ロッド、弾性テープ、又は、ベルト、弾性歯車、又は、弾性ホイールを含む。
【００２５】
ある有利な実施形態では、弾性手段は二つの別々の手段によって、特に二つの圧電、又は、電歪アクチュエータによって、又は、二つのモータによって、又は、二つの空気圧、又は、油圧手段によって二つの方向、又は、自由度の各々で移動、又は、シフト可能である。
【００２６】
さらに、それら二つの方向、又は、二つの自由度でシフト、又は、移動可能な三つの弾性手段が設けられていると有利である。
【００２７】
好ましくは、組立体は三つの弾性手段が実質的に１２０度の角度で互いに間隔をおいて配置され、アクチュエータはそれらの間に６０度から１２０度の間の角度で、好ましくはそれらの間に９０度の角度で配置される。
【００２８】
さらに、組立体は弾性手段、又は、弾性手段の各々が少なくとも一つのねじによって、特にマイクロメータねじによって可動、又は、調整可能であることを特徴とする。
【００２９】
さらに別の実施形態では、少なくとも一つのねじは介在（ｉｎｔｅｒｓｔｉｔｉａｌ）、又は、中間リングによって担持される。
【００３０】
別の実施形態では、介在リングは、介在リングが静的に規定されるような仕方で外側リングと結合される。
【００３１】
好ましくは、組立体は、介在リングがばね要素によって外側リングと結合されることを特徴とする。
【００３２】
さらに別の実施形態では、ばね要素は介在リングと外側リングの間で互いから少なくとも実質的に等しい距離にわたって分布する。
【００３３】
別の有利な実施形態では、ばね要素は堅い（ｓｔｉｆｆ）。
【００３４】
光学エレメントが内側ホルダーによって支持され、光学エレメントを調整するための力、又は、トルクが内側ホルダーに加えられると有利である。
【００３５】
好ましくは、内側ホルダーは中間パーツ、又は、リングによって外側マウントに結合され、少なくとも一つの調整手段が中間リングに用いられる。原則として、１２０度の距離で配置された三つの組立体を内側リングに用いて六つの自由度全部で調整する可能性を保証する。しかし、六つよりも少ない自由度でしか調整が必要でない場合、三つより少ない調整組立体を設けることもできる。
【００３６】
ある有利な実施形態では、前記少なくとも一つの中間パーツは、内側サポートに結合された第一のベアリング部材、中間エレメント、及び弾性手段によって光学エレメントを調整、又は、再調整するために中間エレメントに加えられる力、又は、トルクを中間エレメントから光学エレメントに加えることができる少なくとも一つの位置決め、又は、調整手段を含むように構成される。
【００３７】
ここで、有利な形では、てこの作業アームとして働く弾性ロッド、又は、スティック、少なくとも一つのロールによってトルクを伝達する弾性テープ、又は、ベルト、トルクを伝達するための減速ギアボックス中の弾性ギアホイール、又は、別の弾性手段、特にばね、好ましくは渦巻ばね、又は、中間エレメントで力、又は、トルクを伝達する弾性テープ、又は、ベルト、が設けられ、力、又は、トルクを加える弾性手段として用いられる。
【００３８】
好ましくは、中間エレメントは硬い物質、又は、少なくとも力、又は、トルクを加える手段を形成する物質より弾性が小さな物質から成る。
【００３９】
調整手段と共に、外側ホルダー、又は、サポートに結合される少なくとも第二のベアリング部材が用いられる。
【００４０】
各調整手段が少なくとも一つの弾性てこを含み、それが先端の一つで中間エレメントに固定され中間エレメントに力、又は、モーメントを及ぼす、又は、それを回転させることが有利である。
【００４１】
例えば、光学エレメントに対して、任意の方向に整列した一つのてこが設けられる。しかし、光学エレメントの光軸の方向に上げたり下げたりできるいくつかのてこを設けることもできる。また、てこの回転運動も可能であり、それによっててこは同時にねじれも起こすことができる。てこの回転運動は光学エレメントの部分で行われる。
【００４２】
てこは、好ましい仕方で調整できる、例えば、回転させる、及び／又は、軸方向及び／又は、半径方向に調整できる。
【００４３】
組立体のユニークな位置決めと固定のためには、少なくとも一つのてこをその第二の先端を固定エレメントにおいて、特に予め定められた位置に孔を有する位置決めエレメントによって（Ｌｏｃｈｍａｓｋｅ）固定すれば十分である。例えば、外側サポートで固定される一つ、又は、複数の孔を有するこのようなエレメントの交換によって、内側サポートの他の位置、したがって、光学エレメントの他の位置を調整できるということは理解されるであろう。あるいはまた、実施形態の位置を変えるためにアクチュエータを設けることもできる。
【００４４】
有利な形として、アクチュエータは、アクチュエータを作動させるために電磁的、電歪的（ｅｌｅｃｔｒｏｓｔｒｉｃｔｉｖｅ）、空気圧、油圧、又は、機械的手段を備える。
【００４５】
組立体のある有利な実施形態では、第一のベアリング部材は少なくとも部分的に内側サポートの凹所、又は、溝に配置される。
【００４６】
対応する仕方で、第二のベアリング部材も外側サポート凹所、又は、溝に配置できる。
【００４７】
好ましくは、第二のベアリング部材は各々カルダン・ヒンジ（ｃａｒｄａｎｉｃ  ｈｉｎｇｅ）で、中間部材を空間の全ての方向に傾けることが可能である。
【００４８】
カルダン・ヒンジのある有利な実施形態では、第二のベアリング部材は各々板ばねヒンジ、又は、一対の金属プレートを含む。
【００４９】
有利な形として、薄い金属プレートの二つが      において中間エレメントに対して鋭角、又は、鈍角の下で接線方向、又は、軸方向に伸びるように設けられる。
【００５０】
同様に、第一の及び／又は、第二のベアリング要素が固体（ｓｏｌｉｄ  ｂｏｄｙ）ヒンジ、好ましくは板ばねとして実施されることが好ましい。
【００５１】
さらに、ベアリング要素、又は、ヒンジ要素、好ましくは板ばね、は、半径方向のトルク、又は、モーメントを切り離すために十字（ｃｒｏｓｓ）の形の中間部材を含むようにすることが有利である。
【００５２】
中間パーツはいろいろな仕方で作ることができる。例えば、中間パーツは少なくとも一つの基本エレメントから、前記少なくとも一つの基本エレメントでヒンジを切り抜いて作ることもできる。
【００５３】
同様に、中間パーツは、元のボディーを侵食して生成できる。
【００５４】
本発明のある特別な実施形態では、中間パーツはリング・セグメント、又は、閉じたリングとして実施されるようになっている。同様に、中間パーツ、又は、エレメントは少なくとも部分的にリング、又は、リング・セグメントとして実施される、又は、そのように結合されることも考えられる。
【００５５】
本発明のある有利な実施の形態では、中間リング、又は、リング・セグメントは内側リングで少なくとも一つの第一のベアリング要素によって、及び外側リングで少なくとも一つの第二のベアリング要素によって固定される。
【００５６】
本発明はまた、外側サポートに対する光学エレメントの固定と調整のための実施形態に関し、光学エレメントは、光軸を有する光学組立体の構造に対して、特に対物レンズ（ｏｂｊｅｃｔｉｖｅ）構造に対して、又は、隣接マウントに対して、整列可能であり、調整手段によって調整可能であることを特徴とする。
【００５７】
このような実施形態は、調整手段が光学エレメントと外側サポート、又は、ホルダーの間に配置された中間リングによって実施されることを特徴とする。
【００５８】
本発明のこの実施形態では、また、光学エレメントが内側マウントによって担持され、中間リングが内側マウントと外側マウントの間で担持されると有利である。
【００５９】
好ましくは、調整エレメントは中間リングに配置され、中間リングを侵食して生成される。
【００６０】
本発明のある実施形態は、調整デバイスが中間リング、又は、リング・セグメントにぴんと張りつめて（ｔｅｎｓｅｄ  ｕｐ）設置され、互いに平衡している二つの力及び／又は、トルクを加える少なくとも一つの光学エレメントを含むものであり、有利であることが判明している。
【００６１】
有利な形では、調整手段が外側リング、又は、中間リングに対して張りつめる力、又は、トルクを加える少なくとも一つの弾性エレメントを含む。
【００６２】
トルク、又は、力は、好ましくは、中間リング上の少なくとも一つの縮小手段によって、好ましくはブロックの形の突起によって加えられる。
【００６３】
本発明はまた、外側マウント、又は、サポートに対して光学エレメントを固定、又は、調整するための組立体に関し、前記光学エレメントは、光軸を有する光学装置の構造、特に対物レンズ（ｏｂｊｅｃｔｉｖｅ）構造に対して、又は、隣接するマウントに対して少なくとも一つの調整構造によって、整列可能であることを特徴とする。
【００６４】
ここで組立体は、前記少なくとも一つの調整構造が少なくとも一つの弾性エレメントを含み、それに力、又は、トルクが加えられることを特徴とする。
【００６５】
組立体のある有利な実施の形態では、光学エレメントは内側サポートによって支持される。
【００６６】
さらに、本発明はまた、マイクロリソグラフィーのための投影露光装置に関する。この投影露光装置は、投影対物レンズが上述のような光学エレメントの調整、又は、位置決めのための少なくとも一つの組立体を備えていることを特徴とする。
【発明を実施するための最良の形態】
【００６７】
以下、本発明を実施形態の例によって図面を参照してさらに詳しく説明する。
【００６８】
光軸がその中心Ａを通って伸びている光学エレメント１（図１ａ）、例えばレンズ、又は、ミラー、が内側リング、又は、内側マウント２に支持されている。内側マウント２及び外側マウント４に対する光学エレメント１の位置は、一回限り、又は、繰り返し交換される中間パーツ３を含むアジャスターによって調整できる。組立体は、好ましくは、内側マウント２の外周と外側マウント４の内周の間で対称に配置された三つの中間パーツ３を含む。
【００６９】
各中間パーツ３は、内側マウント２に結合された第一のベアリング要素５、外側マウント４に結合された第二のベアリング要素６、及びベアリング要素５，６の間に配置された、例えば固体ボディー（ｓｏｌｉｄ  ｂｏｄｙ）として実施される中間パーツ７、を含む。ベアリング要素５，６はそれぞれ薄い弾性物質から成り、中間パーツ７と共にエレメント１の静的に規定されるベアリングを構成する。ベアリング要素５は、要素５を中間エレメント７に結合する小さなブリッジ要素、又は、キャットウオーク８を構成し、半径方向、又は、接線方向でのベアリング要素５の十分な可撓性、又は、しなやかさを保証する側方の溝を有する。
【００７０】
ベアリング要素６（図１ｂ）は、二つの自由度で回転可能な弾性エレメントである。これは図２に示されているようなヒンジ構造で置き換えることができる。弾性エレメント６が図１ｂに再び示されており、二つの規定された回転軸ＡとＢを有するロッド９が、エレメント６の軸Ａ’とＢ’の方向にエレメント６の回転を実行する。二つの回転の自由度は、互いに独立に実行される。各回転自由度は、てこによって、又は、互いにヒンジで結合されたてこ構造によって平行移動（ｔｒａｎｓｌａｔｉｏｎ）の自由度に変換できる。
【００７１】
したがって、二つの回転自由度、又は、二つの平行移動の自由度、又は、一つの回転自由度と一つの平行移動の自由度の組み合わせ、が本発明によって独立に実現される。
【００７２】
ブリッジ要素８は、二つの力、又は、二つのトルク、又は、一つの力と一つのトルクの組み合わせが、サポート２、又は、サポートがない場合は光学エレメント１に直接作用する作用点（ｐｏｉｎｔ  ｏｆ  ａｔｔａｃｋ）を含む。図１によれば、ブリッジ要素８はサポート２、又は、光学エレメント１と調整手段の間のリンクである。好ましくは、光学エレメント１は三つのベアリング点によって、最終的には内側リング、又は、内側サポートによって、平衡を保って保持される。このことは、各調整手段によって、二つの自由度が独立に調整されるということを意味する。
【００７３】
中間エレメント７で、光学エレメント１に対して半径方向に伸びる弾性スティック９は固定されてアジャスターの役目をする。スティック９に加えられるトルクが中間パーツ７に矢印Ｂの方向に作用すると、中間パーツ７が動かされてベアリング要素６の曲げを生ずる。
【００７４】
スティック９は長さがＣで、これはブロック７内のスティック９の作用点、すなわち、その中央の点、とブロック７のキャットウオーク８の接触線の間の長さｄの倍数である。関係Ｃ  ：  ｄは、作業アームの長さと荷重アームの長さの間の正規（ｒｅｇｕｌａｒ）縮小関係を構成する。しかし、スティック９はきわめて高い弾性を有する物質で作られているので、縮小の関係ははるかに大きく、例えば因子１００倍も大きくなる。一定の力を費やしたときに、硬い、又は、実質的に硬い位置決め手段を用いる現在の技術で可能なよりもはるかに小さな、したがって、はるかに敏感な（ｓｅｎｓｉｂｌｅ）調整が軸方向及び接線方向で実現される。
【００７５】
スティック９によってエレメント７が方向５１で曲げられたときに要素５と６がどのように動くかが概略図（図１ｃ）に示されている。両方の要素５と６はヒンジ点ａ，  ｂ，  及びｃを含むことに注意しなければならない。それによって、光学エレメント１の位置を、半径方向に大きな動きを生ずることなく、光軸（ｚ−軸）の方向にかなり変化させることが可能である。
【００７６】
別の実施形態（図２ａ，  ｂ）では、内側マウントと外側マウントの間に挿入するのに適当な中間パーツ１０は、中間パーツを構成するブロック１１を含み、ブロック１１にトルク、又は、力を伝達するための作用手段がブロック１１に作用し、それによって内側マウントに作用する。ブロック１１は、内側マウントに直接、又は、内側マウントに属する薄い金属プレート１３に短いねじれスティック、又は、十字の形のエレメント１２によって結合される。このアレンジメントが第一のベアリング要素を構成する；三つのベアリング点で位置決めされる内側リングは静的に実質的に、又は、近似的に規定されるベアリングを有する。
【００７７】
他の側で、ブロック１１は、ブロックの形を有する別のエレメント１６に、互いに対して鈍角で配置された二つの金属プレート１４，１５によって結合される。エレメント１６は、それ自体、互いに対して傾いた二つの金属プレート１７，１８によって外側マウントに結合される。金属プレート１４，１５は、エレメント１６及び金属プレート１７，１８と共にカルダン（ｃａｒｄａｎｉｃ）ヒンジ、又は、ジョイントを構成する第二のベアリング要素を構成し、これが内側マウントを三つのベアリング位置で空間の全ての方向に傾けることを可能にする。ブロック１１で、トルクは図１に示された弾性スティックと同様に作用することができる。
【００７８】
図２ａ，  ｂに示された中間パーツ、又は、調整手段１０は、例えば、以下で説明するようにスティック２０によってブロック１１を傾けるために、外側マウント１９の凹所（図２ｃ）に挿入される。エレメント１２（図２ａ）及びエレメント２１（図３）は、図１の実施形態で示されるようなエレメント５とエレメント８を含む静的に規定されるベアリングの別の実施形態である。
【００７９】
図１ａの弾性エレメント６は、図２ｃに示されているような“カルダン（ｃａｒｄａｎｉｃ）”形態のヒンジで置き換えることができる。二つのカルダン軸１００と２００が設けられ、軸２００は軸１００に対して−そうである必要はないが−直角であってよい。硬い、又は、弾性的、又は、可撓的てこ３００をエレメント１２に固定することができるが、ここでエレメント１６の凹所、又は、くり抜きがてこ３００の自由な動きを可能にしなければならない。てこ３００が光軸５１の方向に作動されると、パーツ１１とパーツ１６は軸１００のまわりに傾く運動を起こす。てこ３００が光軸５０の方向に作動されると、パーツ１６はその回転位置にとどまるが、他方パーツ１１はその軸２００のまわりで回転する。ここで、リング２と光学エレメント１は二つの回転軸１００と２００によって、すなわち、軸方向及び接線方向の回転で、位置決めできる。軸１００の位置は保持エレメント１７と１８の配置によって規定される。
【００８０】
一般に、図１に示されているような二つの自由度で回転できる弾性エレメント６は、図２ａ−ｃに示されているような二つの定められた回転軸を含むヒンジ構造によって置き換えることができる。
【００８１】
調整手段１０（図４）は、外側サポート１９の周上に三重複で配分されて、内側サポート２２によって担持されるレンズ２３、又は、ミラーやレチクルなど別の光学エレメントの位置決め、移動、又は、シフトを可能にする。したがって、本発明に従って同心サポート・システムの中心に光学エレメントを担持することにより光学エレメントを６つの自由度全部で調整することが可能になり、各自由度は他の自由度と独立に調整できる。現在の技術で不利であると教示される二つ以上の自由度のカプリングは少なくとも実質的に回避される。
【００８２】
さらに別の実施形態（図６ａ，６ｂ、７）は、拡張された本発明の原理を示しており、図１の中間パーツ７、又は、図２ａ、２ｂ、２ｃの中間パーツ１１が、それぞれ、複数のセグメントを有する、又は、閉じた形態を有するリングによって実施されている。
【００８３】
後者の形は図５，６ａによって示されている。そこでは光学エレメント２４は内側マウントに保持されている。ここで中間リング２７が内側マウント２５と外側マウント２６の間に配置されている。このようなシステムの利点は、三つのコンポーネント、内側リング、又は、内側サポート２５，介在、又は、中間リング、又は、サポート２７及び外側リング、又は、バレル２６で光学エレメント２４を担持すると、強制する力、例えば外側サポートに作用する強制力が小さくなり、したがって、変形も小さくなるということである。
【００８４】
適当な調整構造が図７ａ，７ｂ，７ｃに示されている。これらの調整構造は、薄いばねスティック、又は、例えばＵ−形で曲げることができるねじりばねによって実施された、、又は、細いワイヤによって実施された一つ、又は、複数の弾性手段を含む。
【００８５】
図６ａに示された実施形態では、光学エレメント２８は内側マウント、又は、内側リング２９に担持され、内側マウント、又は、内側リング自体は中間リング３１に配置されている。このリング３１は、第二のベアリング要素３２によって外側サポート、又は、外側リング３３に担持されている。外側サポート３３は、ワイヤによって実施できる撓み、又は、弾性エレメント３４によって対物レンズのバレルに担持される。さらに、光学エレメントの位置を保つために、固定スティック３６，３６が外側サポートと弾性エレメント３４の間に設けられる。
【００８６】
図６ａに示されているベアリング要素３０，３２はそのように実施され、内側リング２９が変形したときに対物レンズのバレル、又は、サポートに対する内側マウント２９、したがってエレメント２８，の高い移動性を可能にし、中間リング３１と内側リング２９の各々の静的に定められる担持（ｂｅａｒｉｎｇ）を実現する。
【００８７】
図６ａに示されているような中間リング３１の代わりに、別の形として、例えば、上面図では長方形の形を有する中間エレメント３７（図６ｂ）をベアリング要素３８，３９と共に用いることもできる。ベアリング要素３８，３９は、光学エレメント２８，中間エレメント３７及び対物レンズのバレルの半径方向の軸に関して対称である。ここで、ベアリング要素３９は、内側リング２９の静的に定められる担持（ｂｅａｒｉｎｇ）を実現するような仕方で実施される。ベアリング要素３８は、回転に関して全ての軸のまわりで変形できる堅い（ｓｔｉｆｆ）球形ジョイントと考えられる。
【００８８】
光学エレメント２８は、ベアリング要素４０，４１（図６ｃ）が内側マウント３１、又は、外側マウントに向いた外側エッジの領域に位置し、内側マウント３１及び外側マウントにそれぞれ面する外側エッジの領域で中間エレメント４２の半径方向の軸に関して各々ずれている。中間エレメント４２は、好ましくは、内側マウント３１に面するエッジ及び外側マウント３３に面するエッジが、好ましくは、内側マウント３１の曲率及び外側マウント３３の曲率に対応する曲率を有する。ベアリング要素４０，４１は、ベアリング要素３８，３９と同様の仕方で組み立てられる。
【００８９】
別の実施形態（図７ａ，７ｂ）では、実質的に中間パーツとして組み立てられた内側マウント３１と外側マウント３３の間に中間パーツ４３が設けられる（図６ｃ）。シフトした配置で位置決めされ図６ｃに従って設けられたベアリング要素４０，４１とは別に、弾性スティック４４が設けられる。これにより、外側マウント３３に対する内側マウント３１の動きが中間エレメント４３，４６の変形によって発生される。変形は図７ａに示された実施形態による弾性スティック４５の変形によって実現される。
【００９０】
別の実施形態（図７ｂ）では、中間エレメント４６は、図７ｃのように曲げられるブラケット、又は、クランプ４７によって変形される。最後に示された両方の実施形態で、それぞれ、変形した中間エレメント４３、又は、４６に結果としての力、又は、モーメントは何も作用しない。
【００９１】
図８ａは、回転点４９で担持される２アームてこ４８の例によって古典的なてこの原理を示している。ここでは純粋に幾何的な関係が与えられる。すなわち、力のてこアームの関数としての作業アームＶ２：Ｖ２＝ｄ×Ｖ１．  二つのアーム、又は、唯一つのアームを有するこのようなてこで、弾性物質が用いられると、力のてこアームのばねの硬さがｃ１（図８ｂ）で作業アームのばねの硬さがｃ２であるとすると、縮小（ｒｅｄｕｃｔｉｏｎ）、又は、伝達（ｔｒａｎｓｍｉｓｓｉｏｎ）はＶ２＝ｄ×Ｖ１からＶ２＝ｃ１／（ｃ１＋ｃ２）×Ｖ１に変化する。ここで、伝達、又は、逆（ｒｅｃｉｐｒｏｑｕｅ）伝達（縮小）は構成要素のこわさに依存する；これは、例えば、ｃ２＝１００×ｃ１を意味する。
【００９２】
この原理は公知であり、例えばＭｉｃｈｅｌｓｏｎばねによって実現される。図８ｂに示された組立体のエネルギー・バランスを考えると、弾性エレメントに貯えられる仕事はエレメントのこわさ（ｓｔｉｆｆｎｅｓｓ）の逆数である。このことは、１００倍堅いばねでは、力が及ぼす仕事全体の１００分の１しか貯えられないと言うことを意味する。本発明では、力と硬さをコントロールするこの原理が光学エレメントのマウントに応用される。本発明の実施形態は、カルダン（ｃａｒｄａｎｉｃ）ジョイント、又は、ヒンジの原理によって実現される（図１−４）；同様に、同心リングを含む実施形態も実現される。第一のケースでは、硬さｃ２を有するばねがカルダン・ヒンジによって実現され、第二のケースでは、中間リング２７（図５）、３１（図６ａ）のこわさ、、又は、中間パーツ３７（図６ｂ）、４２（図６ｃ）のこわさによって実現される。
【００９３】
こわさｃ１を有するばねは、カルダン・ジョイント、、又は、別の場合、中間リング、又は、中間パーツを曲げるための細いワイヤ、渦巻きばね、、又は、ねじりばね（ブラケット４７）（図７ｂ，  ｃ）であってよい。この場合、ばねの両端が中央のリングａに作用し、作用した領域でそれを曲げる。カルダンでは（Ｉｎ  ａ  ｃａｒｄａｎｉｃ）、ねじりばねであってもよいが、ばねに外側リングから張力が光学エレメントの内側組立体に半径方向に作用する。
【００９４】
これまでに述べた“光学エレメント”は、光学エレメント自身、又は、そのフランジを意味する。本発明によれば、本明細書の全体にわたって、ソフト・マウント、又は、そのコンポーネントのこわさが低い、又は、硬さが低いと言われるときはいつでも、こわさ、又は、硬さは光学エレメントの位置を定めるマウントのこわさ、又は、硬さと比較していると理解すべきである。
【００９５】
本発明の別の実施形態（図９ａ−ｃ）では、図４に示されたような調整機構１０の代わりに、サポート部材２２の外周上に１２０度ピッチの規則的間隔で三つの調整可能な弾性エレメント１００が設けられ、エレメント１００の各々により光学エレメント２３を二つの自由度で調整することができる。
【００９６】
エレメント１００の各々は第一のフラットばね、又は、板ばね１０１と第二のフラットばね、又は、板ばね１０２を含む。第一のフラットばね１０１は、レンズ２３の半径方向に曲げることができ、サポート部材２２と第二の弾性ばね１０２に結合される。第一のばね１０１は、第二の弾性ばね１０２によって加えられる第二の弾性力から第一の弾性力を発生し、第一の弾性力をサポート部材２２に加える。
【００９７】
ばね１０２は、マイクロメータねじとして実現され外側リング１９に担持された圧縮部材１０３と１０４によってそれに力が加えられると半径方向に曲がる（図２参照）。
【００９８】
次にばね１０２は他のばね１０１に、ばね１０１，１０２を結合する小さなブリッジ１０５によって圧縮力を加える。部材１０３と１０４が両方共同じ向きに回転されて光学エレメント２３を半径方向に動かす場合、圧縮力は部材１０３と１０４によって加えられる。
【００９９】
しかし、部材１０３と１０４が互いに逆の向きに回転される場合、モーメント力、又は、トルクがばね１０１に加えられ、他のばね１０２に伝達される。それにより、光学エレメント２３を担持するリング２２が光軸（ｚ−軸）に対して傾いた方向に動かされる。圧縮部材１０３，１０４の代わりに、張力部材を同じ位置に挿入し、それらがばね１０２に張力を及ぼし、それがばね１０１によって光学エレメント２３に伝達されるようにしてもよい。部材１０３，１０４はリング１９、又は、レンズ・バレルの挿入孔に挿入される。それらは、ばね１０２の中央ファイバー１０６から等しい距離に配置される。
【０１００】
別の実施形態（図９ｂ）では、部材１０３，１０４は弾性ロッド１０７，１０８で置き換えられ、それが各々ばね１０２にモーメントを加える。ロッド１０７，１０８は、リング１９の挿入孔に担持される。チューニング、又は、調整機構１０９，１１０によってロッド１０７，１０８に調整力を加えてそれらをＡの方向に回すことができる。別の実施形態では、ロッド１０７，１０８はどちらも同じＢの方向に回されてエレメント２３の接線方向の調整を行うことができる。しかし、ロッド１０７，１０８が反対の方向Ｂで張力を受けると、光学エレメント２３の半径方向の軸のまわりの回転運動が実行される（第三の自由度）。
【０１０１】
本発明の別の実施形態（図１０）では、固定マウント２００が光学エレメント２０１を硬く保持する。固定マウント２００はヒンジ部材２０３を含むバイポッド（ｂｉｐｏｄ）構造２０２によって平衡状態で担持される。板ばね２０５，２０６がマウント２００に静的モーメントを加える役目をする。
【０１０２】
しかし、本発明によると、ベアリング部材２０２は少なくとも二つの自由度での光学エレメント２０１の調整を可能にする。したがって、少なくとも一つのてこアーム２０８が設けられ、それがベアリング部材２０２にＣの方向、又は、Ｄの方向にモーメントを加える。これによって固体（ｓｏｌｉｄ  ｂｏｄｙ）ヒンジ、又は、十分な弾性を有するベアリング部材２０２を少なくとも二つの平行でない回転軸のまわりに回転させることが可能になり、マウント２０１によって光学エレメント２０１に作動力、又は、作動モーメントを及ぼすことなく光学エレメント２０１を位置決めできる。
【０１０３】
別の実施形態によれば、光学エレメント３００（図１１）は弾力マウント３０１上に配置される。マウント３０１は内側リング３０２に取り付けられ、それはヒンジ、又は、ベアリング構造３０４によって中間リング３０３に、又は、内側リング３０２を保持するベアリング要素に結合される。
【０１０４】
中間リング３０３は、別のベアリング要素３０６によって外側リング３０５に結合される。ベアリング３０４と３０６は、カルダン（ｃａｒｄａｎｉｃ）要素、又は、平衡（ｉｓｏｓｔａｔｉｃ）要素であり、中間リング３０３が内側リング３０２と外側リング３０５の間の結合エレメントとなって光学エレメントを少なくとも二つの自由度で位置決めすることを可能にする。本発明によるギアボックス３０７が内側及び外側リング３０２，３０５の間に用いられる。ギアボックス３０７は、中間リング３０３の変形を実行し、それにより内側リング３０２の外側リング３０６に対する位置が調整される。
【０１０５】
内側リング３０２に用いられる別のエレメント３０９は、アクチュエータ３１０，例えばボイスコイル・アクチュエータ、によって、電歪エレメント、又は、像形成エラーを補正するその他の手段、例えば空気圧、又は、油圧手段によって、調整できる。それにより、弾力マウント３０１が調整される。これにより光学エレメント３００の変形を実行して、エレメント３００の像形成エラーを補正できる。この実施形態は光の多重波形を露光装置によって露光させる配置を提供する。
【図面の簡単な説明】
【０１０６】
【図１ａ】図１ａは、内側サポートによって支持された光学エレメントを示す上方斜視図であり、光学エレメントは二つの調整手段を有する中間パーツによって担持される。
【図１ｂ】図１ｂは、図１ａの細部を示す図である。
【図１ｃ】図１ｃは、図１ａのエレメントを示す概略図である。
【図２ａ】図２ａは、外側サポートと中間パーツの間に配置されたベアリング要素を示す拡大された斜視図である。
【図２ｂ】図２ｂは、外側サポートと中間パーツの間に配置されたベアリング要素を示す拡大された斜視図である。
【図２ｃ】図２ｃは、外側サポートと中間パーツの間に配置されたベアリング要素を示す拡大された斜視図である。
【図３】図３は、内側サポートと外側サポートのある断面を示す図であり、図２ａ，  ｂによる中間パーツがそれらの間に配置されている。
【図４】図４は、三つの中間パーツを含む、内側サポートと外側サポートの間に配置された光学エレメントを示す上面図である。
【図５】図５は、中間パーツを示す図である。
【図６ａ】図６ａは、内側リングに配置された光学エレメントを調整するための弾性手段のある形態を示す図である。
【図６ｂ】図６ｂは、図６ａの細部を示す拡大された図である。
【図６ｃ】図６ｃは、図６ａの細部を示す拡大された図である。
【図７ａ】図７ａは、中間パーツの別の詳細図である。
【図７ｂ】図７ｂは、中間パーツの別の詳細図である。
【図７ｃ】図７ｃは、中間パーツの別の詳細図である。
【図８ａ】図８ａは、硬さによってコントロールされる縮小という本発明のコンセプトを現材技術によるてこの原理と比較して示す図である。
【図８ｂ】図８ｂは、硬さによってコントロールされる縮小という本発明のコンセプトを現材技術によるてこの原理と比較して示す図である。
【図９ａ】図９ａは、光学エレメントを調整するための二つのマイクロメータねじ、又は、複数のてこを含む調整機構を示す概略断面（ｓｅｃｔｉｏｎａｌ）図である。
【図９ｂ】図９ｂは、光学エレメントを調整するための二つのマイクロメータねじ、又は、複数のてこを含む調整機構を示す概略断面（ｓｅｃｔｉｏｎａｌ）図である。
【図１０】図１０は、調整機構を備える他の実施形態を示す図である。
【図１１】図１１は、調整機構を備える他の実施形態を示す図である。
【図１ａ】
2008541160.tif 000003
【図１ｂ】
2008541160.tif 000004
【図１ｃ】
2008541160.tif 000005
【図２ａ】
2008541160.tif 000006
【図２ｂ】
2008541160.tif 000007
【図２ｃ】
2008541160.tif 000008
【図３】
2008541160.tif 000009
【図４】
2008541160.tif 000010
【図５】
2008541160.tif 000011
【図６ａ】
2008541160.tif 000012
【図６ｂ】
2008541160.tif 000013
【図６ｃ】
2008541160.tif 000014
【図７ａ】
2008541160.tif 000015
2008541160.tif 000016
【図７ｃ】
2008541160.tif 000017
【図８ａ】
2008541160.tif 000018
【図８ｂ】
2008541160.tif 000019
【図９ａ】
2008541160.tif 000020
【図９ｂ】
2008541160.tif 000021
【図１０】
2008541160.tif 000022
【図１１】
2008541160.tif 000023
【国際調査報告】
2008541160.tif 000024
2008541160.tif 000025
2008541160.tif 000026
2008541160.tif 000027
2008541160.tif 000028
2008541160.tif 000029